(57)【要約】【課題】キャップが薄肉化された場合でも、タンパーエビデントバンドをキャップ本体から取り除かない状態でのキャップの容器口部から取り外しを有効に防止できる、タンパーエビデント性が向上されたプラスチックキャップを提供する。【解決手段】キャップ本体及びタンパーエビデントバンドから成るプラスチックキャップにおいて、キャップ本体スカート部に形成された鍔部の位置に対応するタンパーエビデントバンドの外面に、鍔部の周方向の中央部を中心にほぼ左右対称に外方に突出する複数のリブが形成され、該複数のリブの上端における外方への突出量が該リブの位置における鍔部の突出量とほぼ同程度であると共に、該複数のリブの上端面と鍔部の下端面との間に微小間隙が形成されていることを特徴とする。【選択図】図２
2010215266.tif 000002
【特許請求の範囲】
【請求項１】
頂板部及び該頂板部から垂下するスカート部から成るキャップ本体と、スカート部下端から破断可能な周方向弱化部を介して一体に成形されたタンパーエビデントバンドから成り、前記スカート部の外面下端の一部に外方に突出する鍔部が形成され且つスカート部の内面には容器口部と係合する突起が形成されていると共に、前記タンパーエビデントバンドの外面には前記周方向弱化部を引裂くための摘み片が形成され且つ該摘み片の近傍に周方向弱化部からタンパーエビデントバンド下端に至る軸方向弱化部が形成されているプラスチックキャップにおいて、
前記鍔部が形成された位置のタンパーエビデントバンドの外面に、鍔部の周方向の中央部を中心にほぼ左右対称に外方に突出する複数のリブが形成され、該複数のリブの上端における外方への突出量が該リブの位置における鍔部の突出量とほぼ同程度であると共に、該複数のリブの上端面と鍔部の下端面との間に微小間隙が形成されていることを特徴とするプラスチックキャップ。
【請求項２】
前記複数のリブの上端面がほぼ同一平面上にあり、且つ該複数のリブの軸方向長さが、鍔部の周方向の中央部から外側に向かって減少する請求項１記載のプラスチックキャップ。
【請求項３】
頂板部及び該頂板部から垂下するスカート部から成るキャップ本体と、スカート部下端から破断可能な周方向弱化部を介して一体に成形されたタンパーエビデントバンドから成り、前記スカート部の外面下端の一部に外方に突出する鍔部が形成され且つスカート部の内面には容器口部と係合する突起が形成されていると共に、前記タンパーエビデントバンドの外面には前記周方向弱化部を引裂くための摘み片が形成され且つ該摘み片の近傍に周方向弱化部からタンパーエビデントバンド下端に至る軸方向弱化部が形成されているプラスチックキャップにおいて、
前記鍔部が形成された位置のタンパーエビデントバンド外面に、外方に突出し且つ上端面の外周端縁が鍔部の外周端縁と略同一形状を有するリブが形成されており、該リブの上端面と鍔部の下端面との間に微小間隙が形成されていることを特徴とするプラスチックキャップ。
【請求項４】
前記リブの突出量が下方に行くに従って漸次減少する請求項１乃至３の何れかに記載のプラスチックキャップ。
【請求項５】
前記間隙の垂直距離が、１．０ｍｍ以下である請求項１乃至４の何れかに記載のプラスチックキャップ。
【発明の詳細な説明】
【技術分野】
【０００１】
本発明は、タンパーエビデントバンドを有するプラスチックキャップに関するものであり、より詳細には、牛乳瓶等のガラス瓶に装着可能で、特にタンパーエビデント性に優れたプラスチックキャップに関する。
【背景技術】
【０００２】
従来より、内容物へのいたずら防止等の見地から、開封履歴を明示する機能、すなわちタンパーエビデント機能を備えたプラスチックキャップが、各種容器のキャップとして広く使用されている。
このようなタンパーエビデント性を有するプラスチックキャップにおいて、特に牛乳瓶等のガラス容器に用いられるものとしては、例えば、頂板部及び頂板部から垂下するスカート部から成り、容器口部に装着されるキャップ本体とタンパーエビデントバンド部及びキャップ本体のスカート部下端と該タンパーエビデントバンド部の上端と円周状に連接する破断可能な周状弱化部及びタンパーエビデントバンドを軸方向に破断可能な軸方向弱化部で構成され、キャップ本体のスカート部下端の一部に突設された鍔部が形成されて成ることを基本構造とするもの等が知られている（特許文献１〜３）。
【０００３】
上記基本構造を有するプラスチックキャップにおいては、破断可能な弱化部を破断し、タンパーエビデントバンドをキャップ本体から取り除いた後、キャップ本体を容器口部から取り外すことにより初めて開栓し得るものであるため、一目で開封されたものであることが理解される開封明示機能を有している。
【先行技術文献】
【特許文献】
【０００４】
【特許文献１】特許第２７４３１６０号
【特許文献２】特許第３５９０６７４号
【特許文献３】特開平９−２４９６４号公報
【発明の概要】
【発明が解決しようとする課題】
【０００５】
しかしながら、近年キャップの軽量化及びコスト削減の要請から、キャップを構成する樹脂の使用量を低減すべく、薄肉化が図られている。特にタンパーエビデントバンドは主として開封明示を目的とし、キャップの密封性に関与するものではないため、薄肉化される傾向がある。
このようなキャップにおいては、破断可能な弱化部を破断することなく、キャップ本体の鍔部を強い力で押し上げると、薄肉化されたタンパーエビデントバンドが可撓性を有するため、キャップ本体及びタンパーエビデントバンドが分離していない状態で容器口部から取り外すことができてしまう事象が生じた。このような場合には、キャップが一旦開封されたものであるにもかかわらず、タンパーエビデントバンドがキャップ本体と一体化された完全な状態で再度キャップを容器に適用することが可能になるため、キャップのタンパーエビデント性の信頼性を損なうおそれがある。
【０００６】
従って本発明の目的は、上述したような、キャップが薄肉化された場合でも、タンパーエビデントバンドをキャップ本体から取り除かない状態でのキャップの容器口部から取り外しを有効に防止できる、タンパーエビデント性が向上されたプラスチックキャップを提供することである。
【課題を解決するための手段】
【０００７】
本発明によれば、頂板部及び該頂板部から垂下するスカート部から成るキャップ本体と、スカート部下端から破断可能な周方向弱化部を介して一体に成形されたタンパーエビデントバンドから成り、前記スカート部の外面下端の一部に外方に突出する鍔部が形成され且つスカート部の内面には容器口部と係合する突起が形成されていると共に、前記タンパーエビデントバンドの外面には前記周方向弱化部を引裂くための摘み片が形成され且つ該摘み片の近傍に周方向弱化部からタンパーエビデントバンド下端に至る軸方向弱化部が形成されているプラスチックキャップにおいて、前記鍔部が形成された位置のタンパーエビデントバンドの外面に、鍔部の周方向の中央部を中心にほぼ左右対称に外方に突出する複数のリブが形成され、該複数のリブの上端における外方への突出量が該リブの位置における鍔部の突出量とほぼ同程度であると共に、該複数のリブの上端面と鍔部の下端面との間に微小間隙が形成されていることを特徴とするプラスチックキャップが提供される。
この態様のプラスチックキャップにおいては、
１．複数のリブの上端面がほぼ同一平面上にあり、且つ該複数のリブの軸方向長さが、鍔部の周方向の中央部から外側に向かって減少すること、
２．リブの突出量が下方に行くに従って漸次減少すること、
３．前記間隙の垂直距離が、１．０ｍｍ以下であること、
が好適である。
【０００８】
本発明によればまた、頂板部及び該頂板部から垂下するスカート部から成るキャップ本体と、スカート部下端から破断可能な周方向弱化部を介して一体に成形されたタンパーエビデントバンドから成り、前記スカート部の外面下端の一部に外方に突出する鍔部が形成され且つスカート部の内面には容器口部と係合する突起が形成されていると共に、前記タンパーエビデントバンドの外面には前記周方向弱化部を引裂くための摘み片が形成され且つ該摘み片の近傍に周方向弱化部からタンパーエビデントバンド下端に至る軸方向弱化部が形成されているプラスチックキャップにおいて、前記鍔部が形成された位置のタンパーエビデントバンド外面に、外方に突出し且つ上端面の外周端縁が鍔部の外周端縁と略同一形状を有するリブが形成されており、該リブの上端面と鍔部の下端面との間に微小間隙が形成されていることを特徴とするプラスチックキャップが提供される。
この態様のプラスチックキャップにおいては、
１．リブの突出量が下方に行くに従って漸次減少すること、
２．間隙の垂直距離が、１．０ｍｍ以下であること、
が好適である。
【発明の効果】
【０００９】
本発明のプラスチックキャップにおいては、鍔部の周方向全域に亘って鍔部の下部のタンパーエビデントバンドの外面に複数個或いは１個のリブが形成されているため、タンパーエビデントバンドを取り除かない限り、鍔部の下面に触れることができず、鍔部を押し上げることができない。このため、周方向弱化部及び軸方向弱化部が破断されず、キャップ本体とタンパーエビデントバンドが分離していない状態のキャップを容器口部から取り除くことができず、確実なタンパーエビデント性を確保することができる。
また鍔部下面とリブの上端面の間に微小な間隙が形成されているため、リブを上方に押し上げても、鍔部にその力が伝わることが有効に防止されており、周方向弱化部及び軸方向弱化部を破断し、タンパーエビデントバンドがキャップ本体から取り除かれない限り、開封することができない。
【００１０】
更に、リブの突出量が下方に行くに従って漸次減少しているため、リブを上方に押し上げようとしても、タンパーエビデントバンドを通して力がキャップ本体に伝わり難く、周方向弱化部及び軸方向弱化部を破断することなく、キャップを容器口部から取り除くことができない。
更にまた、キャップが薄肉化されていても、確実なタンパーエビデント性を確保できるので、軽量化及び経済性にも優れている。特に複数のリブを設けた場合には、単一のリブを設けた場合と同様の効果が得られる一方、単一のリブよりも使用する樹脂量を軽減できる。
また、簡単な構成で有効な効果を得ることができ、生産性にも優れている。
【図面の簡単な説明】
【００１１】
【図１】本発明のプラスチックキャップの一例の平面図である。
【図２】図１に示すプラスチックキャップが容器口部に適用された状態における側面図(一部断面図である)。
【図３】図１（Ａ）のＸ−Ｘ線における断面図である。
【図４】図１に示すプラスチックキャップの底面図である。
【図５】図１（Ａ）のＹ−Ｙ線方向から見た側面図である。
【発明を実施するための形態】
【００１２】
本発明のプラスチックキャップを、添付図面を用いて説明する。
本発明のプラスチックの一例を示す図１乃至図５において、全体を１で表す本発明のプラスチックキャップは、概略的に言って、頂板部２、及び頂板部２より垂下するスカート部３から成るキャップ本体４、スカート部３の下端と周方向弱化部である周方向スコア５を介して一体に成形されたタンパーエビデントバンド(以下、「ＴＥバンド」という)６から成っている。
キャップ本体４の頂板部２の内面には、容器口部に適用された状態で容器口部３０の内面に嵌合されてキャップの密封性を確保するインナーリング７、容器口部先端３１に当接する突起８が設けられている。
またスカート部３の内面側には、容器口部３０に設けられた係合面３２と係合する係合突起９が設けられ、スカート部３の下端の外面側には、ＴＥバンド取り外し後にキャップ本体を容器口部から取り外す際に指を掛ける部位となる、外方に突出する鍔部１０が形成されている。
【００１３】
ＴＥバンド６の内面側には容器口部３０に設けられた係合面３３と係合する係合突起１１が形成されていると共に、ＴＥバンド６の外面側の上方には、周方向スコア５の引き裂き開始部となる摘み片１２が取付基部１３を介して設けられており、この摘み片１２は破断可能な弱化部１４を介してスカート部３とも連結されている。またＴＥバンド６には、図示していないが、摘み片１２のＴＥバンド６への取付基部１３に接し、且つ周方向スコア５につながる切欠き部が形成されている。この具体例においては、軸方向スコアは、主スコア１５、補助スコア１６及び伝染防止スコア１７から成っている。すなわち、取付基部１３の側部及び切欠き部に接するように斜め方向の主スコア１５が設けられ、また、ＴＥバンド６の下部には、下端から主スコアとほぼ同方向且つ段違いに延びる短い補助スコア１６が設けられ、更に、主スコア１５の下端１５ａと、補助スコア１６の上端１６ａを結びキャップ軸方向に対して垂直なスコアが伝線防止スコア１７となる。尚、この態様においては、主スコア１５及び周方向スコア５は取付基部１３から直接延びているが、取付基部から周方向スコア又は斜め方向スコアを介して設けられていてもよい。
【００１４】
本発明においては、上記基本構造を有するプラスチックキャップにおいて、ＴＥバンドの外周面の、上部に鍔部が形成された位置に、複数個或いは１個のリブが形成されていることが重要な特徴である。
すなわち、図３乃至図５に示した具体例では、鍔部１０が形成された位置に対応するＴＥバンド６の外周面に、鍔部１０の周方向の全域に亘ってほぼ等間隔に５つの縦方向リブ２０ａ，２０ｂ，２０ｂ，２０ｃ，２０ｃが形成されている。この縦方向リブ２０は、図３から明らかなように、リブの上端面２１と鍔部１０の下面１０ａとの間には微小間隙Ｌが形成されていると共に、図３から明らかなように、リブ２０の上端面２１の外方への突出量Ｍが該位置における鍔部１０の突出量と合致しており、またリブ２０の突出量は下方に行くに従って漸次減少している。このため、リブ２０ａ，２０ｂ，２０ｂ，２０ｃ，２０ｃの夫々の軸方向長さは鍔部１０の周方向の中央部から周方向両端部に近づくにつれてその長さが短くなっており、リブ２０ａ，２０ｂ，２０ｂ，２０ｃ，２０ｃの夫々の下端で構成される仮想線が円弧を形成している。
【００１５】
従って本発明のプラスチックキャップにおいては、ＴＥバンド６を取り除かない限り、鍔部１０に直接指を掛けることができず、しかも鍔部下面とリブ上端面２１の間には間隙Ｌが形成されているので、リブ２０を下方から押し上げたとしても鍔部１０に、この力が作用することがないと共に、この間隙Ｌの垂直距離は非常に小さいため、開栓のために指等を差し込むこともできない。更に、複数のリブの突出量が下方に行くに従って漸次減少していることによって、リブをリブの下端から押し上げることも困難であり、確実なタンパーエビデント性を確保することができる。尚、リブの傾斜角度（図２にθで示す）は、２０乃至４０°の範囲にあることが好適である。
この態様においては、キャップを開封する際は、摘み片１２を周方向または斜め下方向に引っ張り、主スコア１５，補助スコア１６，伝線防止スコア１７から成る軸方向スコアを破断すると共に、周方向スコア５を破断し、ＴＥバンド６をスカート部３より取り外す。これにより、キャップは容器口部から取り外し可能になり、鍔部１０を上方に引き上げると、キャップは開封される。本発明のキャップは、上述したとおり、ＴＥバンドが破壊、キャップ本体から取り除かれない限り、キャップ本体を容器口部から取り外すことができないため、キャップが一旦開封されたものであることを確実に明示することができ、更に、開封により容器口部から取り外されたキャップ本体は、内容物を飲み残した場合等にリシールすることができる。
【００１６】
上記態様においては、鍔部下面及びリブの上端面の垂直距離は、１．０ｍｍ以下、特に０．３乃至０．８ｍｍの範囲であることが、確実なタンパーエビデント性を得る上で望ましい。
また図に示した具体例においては、複数のリブの下端を結ぶ仮想線は円弧を形成していたが、勿論、かかる仮想線はこれに限定されるものではなく、中央のリブから外側に向かって上方に向かう斜め方向の直線であってもよい。
更に、リブの突出量は下方に行くに従って漸次減少していることが、リブを下方から押し上げてもＴＥバンドに力が加わりにくいため、より確実にタンパーエビデント性を向上でき、望ましいが、容器口部の形状によっては、例えばリブの下端附近にリブの突出量と同程度の突起部が位置するような容器であれば、リブ下端を押し上げることができないので、リブの突出量を一定にすることもできる。
【００１７】
本発明においては、リブの数、或いは複数のリブのそれぞれの長さ等も上述した具体例に限定されず、確実なタンパーエビデント性が発現される限り種々の変更が可能である。キャップの軽量化及びコスト削減の見地からは、上述したように鍔部の周方向端部に行くにつれて長さが短くなる複数のリブを形成することが望ましいが、複数のリブを形成する代わりに、外方に突出し且つ上端面の外周端縁が鍔部の外周端縁とほぼ一致する単一のリブを形成することによっても、同様の作用効果を奏することができる。
また上述した具体例においては、軸方向弱化部として、主スコア、補助スコア、伝線防止スコアから成る軸方向スコアを採用したが、勿論これに限定するものではなく、周方向弱化部からタンパーエビデントバンド下端に至る限り垂直或いは斜め方向等種々の形態を採用できる。
本発明のプラスチックキャップは、ポリエチレン、ポリプロピレン等を射出成形、圧縮成形等することにより成形することができ、薄肉軽量化しても確実な密封性及びタンパーエビデント性を有し、簡単な構成であるため成形性にも優れている。
【産業上の利用可能性】
【００１８】
本発明のプラスチックキャップは、ＴＥバンドがキャップ本体から取り除かれない限り、キャップ本体を容器口部から取外すことができないため、軽量化及びコスト削減のために薄肉化されたキャップにおいても、優れたタンパーエビデント性を発現することができ、しかもリシールも可能であるため、牛乳瓶等のガラス容器に好適に使用することができる。
【図１】
2010215266.tif 000003
【図２】
2010215266.tif 000004
【図３】
2010215266.tif 000005
【図４】
2010215266.tif 000006
【図５】
2010215266.tif 000007